Podtech/llm-jp-corpus-v4-ja_patent huggingface dataset:
(57)【要約】【課題】従来の技術には，脱毛予防のためや薄毛を太くするという養毛剤や育毛剤があり、また薄毛に対しては噴射式の増毛法があるが、これらはハゲに対応するものではない。また、発毛を促進させるという発毛剤もあるが，その効果については絶対的なものでなく，一部の発毛剤には副作用が指摘されている。また、ハゲ対策としてはカツラや植毛法があるが，これらは高価でランニングコストもかかり，維持管理が大変である。【解決手段】ブラックシリカなどの天然黒色鉱石を微粉末に粉砕して、その微粉末とグリセリンなどの化学合成油、あるいはオリーブ油などの植物性油、あるいはスクワランなどの動物性油、あるいはヘアーリキッドと混合した黒色の塗布剤を作り、その塗布剤を禿げた部分に塗りこんで黒色化し、そこに周囲の髪を被せて整髪してハゲを隠す。【特許請求の範囲】
【請求項１】
ブラックシリカなど天然の黒色鉱石を微粉末にし、その微粉末をグリセリンなどの化学合成油、あるいはオリーブ油などの植物性油、あるいはスクワランなどの動物性油、あるいはヘアーリキッドと混合してなる塗布剤。
【請求項２】
請求項１、に記載した塗布剤に香料や品質安定化剤，肌荒れ防止剤などの添加剤を加えた塗布剤。
【発明の詳細な説明】
【技術分野】
【０００１】本発明はハゲ隠しの塗布剤に関するものである。
【背景技術】
【０００２】頭が禿げるのは，遺伝的な要素やストレスによるものと言われ，加齢に伴って増加するのが一般的であるが，比較的若い層での発生も珍しくない。従来の技術には，脱毛予防のためや薄毛を太くするなどという養毛剤や育毛剤がある。また、発毛を促進させるという発毛剤がある。さらに、薄毛の増毛法として、植物繊維からなる微粉末を噴射する、スプレイ器具がある。また、ハゲ対策としてカツラや植毛法などがあるが、ハゲ隠し用の塗布剤はない。
【特許文献１】実用新案登録第３０５１０１４号公報
【特許文献２】特開平９−２２８１２９号公報
【発明の開示】
【発明が解決しようとする課題】
【０００３】従来の養毛剤や育毛剤の一部には，頭皮に刺激性の強いものや臭気性の強いものがある。また発毛剤にあっては副作用が指摘されているものもある。また，噴射式増毛法は薄毛用である。【０００４】前記の養毛剤や育毛剤そして発毛剤の効果については、絶対的なものでなく、また噴射式増毛法は薄毛対策としては効果があるが、ハゲ対策には難点がある。
また、カツラや植毛技術は高価でランニングコストもかかり，維持管理が大変である。
本発明はこのような課題に対して、頭皮に無害な物質を用いて，禿げた部分を確実に隠すために開発した塗布剤を提供するものである。
【課題を解決するための手段】
【０００５】このため、ブラックシリカなどの天然の黒色鉱石を微粉末にし、その微粉末にグリセリンなどの化学合成油、あるいはオリーブ油などの植物性油、あるいはスクワランなどの動物性油、あるいはヘアーリキッドを混合してなる塗布剤を提供する。また，これらに適当な香料やステアリン酸などの品質安定化剤，アラントインなどの肌荒れ防止剤などの添加剤を加えてもよい。
【発明の効果】
【０００６】本発明は，従来の養毛剤や育毛剤、発毛剤、噴射式増毛法、カツラ、そして植毛法の課題を払拭し，禿げた部分を確実に隠すとともに，天然黒色鉱石が発する遠赤外線による血行促進、マイナスイオンによるリラックス効果などが期待できる。
【発明を実施するための最良の形態】
【０００７】禿げた部分には，うぶ毛のような微毛が生えており、この微毛と黒色鉱石の微粉末が，微妙に絡み合って，禿げた部分を隠す。【０００８】頭皮には脂肪分が含まれており、油脂性の混合物が脂肪を含んでいる頭皮になじみ易く，展着性に優れており、かつ無害である。【０００９】本発明は，以上のように天然黒色鉱石の微粉末と油脂性の混合液と混ぜ合わせた塗布剤にし，本剤を禿げた部分に安定的に塗着させるものである。
【実施例】
【００１０】ブラックシリカ鉱石の原石を４２０ミクロン以下の微粉末に粉砕する。
原石についてはブラックシリカに限定するものではない。【００１１】他の原石についてはトルマリンなどがある。【００１２】微粉末にグリセリンを入れて混合する。混合の割合はグリセリン１に対して微粉末２〜３であるが、この割合に限定するものではない。【００１３】また、微粉末を塗布剤化するために混ぜるものは，請求項１に記載したグリセリン、オリーブ油、スクワランそしてヘアーリキッドに限定するものではない。【００１４】その他の混合物としては、ミネラルオイルなどの化学合成油、ヒマシ油、ホホバ油，椿油などの植物性油、そして無色透明の純正馬油などの動物性油がある。【００１５】このようにして作られた塗布剤を、指などで禿げた部分に刷り込むようにして塗布する。【００１６】塗布した部分に，周囲の頭髪を被せて，毛ブラシなどを使って整髪する。【００１７】整髪した後，頭髪全体にヘアースプレイをかける。【００１８】スプレイをかけたら手でなでつけながら、ドライヤーを使って乾燥固定する。【００１９】本実施例は，円形型ハゲやスダレ毛ハゲに適用する。
【産業上の利用可能性】
【００２０】本発明に係る塗布剤は，無害な物質により構成されており，工業的に量産することが可能であるため，産業上の利用可能性を有する。
(57)【要約】【課題】今まで爪白癬は内用薬で治療されて、外用薬では効果的な治療ができなかった。内用抗真菌薬が服用できない糖尿病患者、ガン患者、また多量の薬を服用している患者にも利用できる外用殺菌消毒薬で充分に爪白癬、潜在性の白癬に効果があるものが待たれていた。この殺菌消毒薬はそれを解決できるものです。【解決手段】この殺菌消毒薬は塩化ベンザルコニウム０．０２％アルキルジアミノエチルグリシン０．０１５％ポリオキシエチレンラウリルエーテル０．０８％（希釈水は水道水）を含有する混合界面活性剤である殺菌消毒薬です。この殺菌消毒薬に１０〜１５分間ずつ足浴します。それを１日１〜３回、約１〜２ヶ月続ける。この消毒方法は消毒すると同時に白癬菌を殺菌、洗浄するものです。そして、爪白癬の治療ができます。【選択図】図１
2007204461.tif 000002
【特許請求の範囲】
【請求項１】
爪白癬の治療薬として使用する殺菌消毒薬
塩化ベンザルコニウム０．０２％
アルキルジアミノエチルグリシン０．０１５％
ポリオキシエチレンラウリルエーテル０．０８％
を含有する混合界面活性剤である。
尚、希釈水は水道水で充分であり、
温度は３９〜４１℃くらいが妥当ではないかと思われる。
【請求項２】
爪白癬を殺菌消毒薬で処理、治療する方法
洗面器に殺菌消毒薬
塩化ベンザルコニウム０．０２％
アルキルジアミノエチルグリシン０．０１５％
ポリオキシエチレンラウリルエーテル０．０８％
（希釈水は水道水）
温度は３９〜４１℃くらいとなるように約２リットルを作る。その中に、患部
（この場合は足とします）を入れて足浴します。
それを１日１〜３回、約１〜２ヶ月続けることにより爪白癬は治療できる。
【発明の詳細な説明】
【技術分野】
【０００１】爪白癬を治療できる手段として、内用殺菌殺真菌薬がありますが、外用薬では浸透性等の課題があり、いまだに解決されておりません。
【背景技術】
【０００２】界面活性剤の特徴として、殺菌、洗浄、浸透性をあわせもつものです。
塩化ベンザルコニウムとアルキルジアミノエチルグリシンの引力・反発力に加え、ポリオキシエチレンラウリルエーテルの分散力などが相乗するものだと考察できます。
爪および皮膚に付着している白癬菌を全て殺菌するものではなく、むしろ、この殺菌消毒薬の中に追い出すものであると考察されます。
【発明の開示】
【発明が解決しようとする課題】
【０００３】今まで爪白癬は内用薬で治療されて、外用薬では効果的な治療ができなかった。
内用抗真菌薬が服用できない糖尿病患者、ガン患者、また多量の薬を服用している患者にも利用できる外用殺菌消毒薬で、爪白癬、潜在性の白癬に効果があるものが待たれていた。
この殺菌消毒薬はそれを解決できるものです。
この殺菌消毒薬は
塩化ベンザルコニウム０．０２％
アルキルジアミノエチルグリシン０．０１５％
ポリオキシエチレンラウリルエーテル０．０８％
（希釈水は水道水）
を含有する混合界面活性剤で、この殺菌消毒薬は爪白癬の治療ができます。
【課題を解決するための手段】
【０００４】塩化ベンザルコニウム０．０２％
アルキルジアミノエチルグリシン０．０１５％
ポリオキシエチレンラウリルエーテル０．０８％
（希釈水は水道水）
を含有する混合界面活性剤である殺菌消毒薬に１０〜１５分間ずつ足浴します。
それを１日１〜３回、約１〜２ヶ月続けることにより爪白癬は治療できる。
【発明の効果】
【０００５】［発明が解決しようとする課題］［０００３］に記載したこの殺菌消毒薬を以下この殺菌消毒薬と称します。
従来の塩化ベンザルコニウム液の消毒方法に比べて、この殺菌消毒薬は遥かに活性が強いのは、塩化ベンザルコニウムとアルキルジアミノエチルグリシンの引力と反発力に加え、ポリオキシエチレンラウリルエーテルの分散力が相乗しているものだと考察できます。
そして爪の中及び皮膚の中にこの殺菌消毒薬の塩化ベンザルコニウム、アルキルジアミノエチルグリシン、ポリオキシエチレンラウリルエーテルが浸透できると考察できます。
この殺菌消毒薬で充分に爪白癬、潜在性の白癬に効果があります。
内用薬は不要になると考察できます。このことは内用抗真菌薬が服用できない糖尿病患者、ガン患者、また多量の薬を服用している患者にも利用できるものであります。
さらに、従来の水虫薬は湿疹、皮膚炎には利用できないものでありましたが、この殺菌消毒薬は水虫以外の皮膚疾患の患者にも使用できます。
また、水虫にこの殺菌消毒薬を利用した後に、かぶれを治療するため亜鉛華軟膏、副腎皮質ホルモン外用軟膏を使用し塗布できます。
【実施例】
【０００６】［課題を解決するための手段］で示した方法をこの殺菌消毒方法と称します。
実施例  １
男性（６０代）平成１７年１２月１４日
糖尿病の患者で内服薬は服用できないということです。
左足親指、中指、くすり指がひどい爪白癬で、親指の裏側が亀裂部分に潜在性の白癬があり、全体が水虫です。この患者にこの殺菌消毒方法を指導した。
１０日後に来店されたときは皮膚上の水虫はきれいになっていました。
くすり指の爪白癬はなくなっていました。中指の爪白癬もよくなってきました。
親指の爪白癬はまだ残っていました。親指の裏側が亀裂部分は変わりませんでした
黄色味が中心に集まってくるのが判りました。この殺菌消毒方法を続けるように指導しました。
その５日後  親指の爪白癬の状態は非常によくなってきました。
かぶれの状態はそのまま残っていました。親指の裏側の亀裂部分を中心に黄色味が増してきました。さらにこの殺菌消毒方法を続けるように指導した。
その１０日後親指の爪白癬はすっかり良くなっていましたが、親指の爪白癬のかぶれだけが残っていました。
親指の裏側の黄色味がすっかりよくなっていました。その後もこの殺菌消毒方法を続けるように指導しました。
実施例  ２
女性（６０代）平成１７年９月
両足の水虫と爪白癬で来店、左足の甲の部分が水虫でひどくがぶれて、白く芽胞がういていました、くすり指が爪白癬で真っ白になっていました。左足の中指とくすり指の指間型の水虫でした。この殺菌消毒方法を指導した。
１０日後に来店されたときは、水虫のかぶれが残っていたのでこの殺菌消毒方法と副腎皮質ホルモン皮膚疾患治療軟膏を塗布するように指導した。
さらに１０日後に来店されたときは清浄な皮膚になっていました。爪白癬もきれいになっていました。
【図面の簡単な説明】
【０００７】
【図１】処理前の説明  洗面器に殺菌消毒薬  塩化ベンザルコニウム０．０２％  アルキルジアミノエチルグリシン０．０１５％  ポリオキシエチレンラウリルエーテル０．０８％  （希釈水は水道水）  となるように約２リットルを作る。その中に、患部（この場合は足とします）を入れて足浴します。
【図２】処理後の説明  １０〜１５分開足浴をして処理する。  患部は殺菌消毒されると同時に爪及び皮膚からカビ、白癬菌、雑菌等が殺菌消毒薬の中にれる。  １日１〜３回、約１〜２ヶ月続けることにより、爪白癬は治療できる。
【図１】
2007204461.tif 000003
【図２】
2007204461.tif 000004
(57)【要約】【課題】本発明は、発声に当たって、無理なく高音域あるいは低音域を出すことができ、声帯を痛めないようなものを提供することを課題とする。【解決手段】コエンザイムＱ１０が発声改良に有効であることを見出し、本発明を完成した。具体的には、コエンザイムＱ１０あるいはコエンザイムＱ１０とビタミンＥとを主成分とする剤を経口投与することにより、声が良く出るようになり、長時間歌えるようになり、また高音域や低音域が延びるという効果も奏する。【選択図】  なし【特許請求の範囲】
【請求項１】
コエンザイムＱ１０を主成分とする発声改良剤。
【請求項２】
コエンザイムＱ１０及びビタミンＥを主成分とする発声改良剤。
【請求項３】
コエンザイムＱ１０を経口投与することを特徴とする発声改良法。
【請求項４】
コエンザイムＱ１０及びビタミンＥを主成分とする製剤を経口投与することを特徴とする発声改良法。
【発明の詳細な説明】
【技術分野】
【０００１】
声楽家、アナウンサー、俳優、政治家など声を酷使する人に用いて、発声を改良する剤あるいは発声改良方法に関する。
【背景技術】
【０００２】
近年、カラオケが大繁盛で大きな産業となっているが、声を酷使すると声帯を痛め、進行するとガンを発症することにもなりかねない。
【０００３】
従来、声に有効であるとしてマグネシウムが用いられてきた。リンゴ酸の助けをかりてマグネシウムが声帯細胞に吸収され、声帯が柔軟になり声帯の反響作用を高め、声にハリ・伸びをもたらし、様々な音域の声で声帯に負担をかけることなく楽に歌えるとされてきた。
【０００４】
しかしながら、その実際の効果は疑問視されており、特に声を命とする声楽家や政治家あるいは俳優、タレント等は、更に発声に有効なものの開発を切望しているところである。
【０００５】
【特許文献１】特開２００５−３５９１８号公報
【発明の開示】
【発明が解決しようとする課題】
【０００６】
本発明は、発声に当たって、無理なく高音域あるいは低音域を出すことができ、声帯を痛めないような組成物を提供することを課題とする。
【課題を解決するための手段】
【０００７】
本発明者等は、前記課題を解決すべく鋭意努力した結果、コエンザイムＱ１０が発声改良に有効であることを見出し、本発明を完成した。
【０００８】
すなわち、本発明は、
(１)  コエンザイムＱ１０を主成分とする発声改良剤、
(２)  コエンザイムＱ１０及びビタミンＥを主成分とする発声改良剤、
(３)  コエンザイムＱ１０を経口投与することを特徴とする発声改良方法、
(４)  コエンザイムＱ１０及びビタミンＥを主成分とする製剤を経口投与することを特徴とする発声改良方法
に関する。
【０００９】
コエンザイムＱ１０は、一般的に魚類、肉類や海草に含まれていることが知られているが、微生物の醗酵技術により作られたり、あるいは植物成分をベースにして部分合成するものがある。コエンザイムＱ１０は、融点の低い親油性固体であり、経口投与における吸収性が低い。
【００１０】
コエンザイムＱ１０は、一般名ユビデカレノン(分子式  Ｃ５９Ｈ９０Ｏ４)であり、下記のような構造式を有している。
【化１】
2007204436.tif 000002
【００１１】
コエンザイムＱ１０は、抗酸化作用とエネルギー産生作用を有し、人体のあらゆる細胞内に存在して重要な役割を果たしている。特にエネルギー産生作用は、ミトコンドリアにおいて水素から酸素に電子を伝達しエネルギーを産生する機構の中で発揮されている。
【００１２】
コエンザイムＱ１０は、体内で生産されており、一部は食品から摂取しているが、加齢、ストレス、疾病により減少する。コエンザイムＱ１０の不足は、エネルギー産生の低下をもたらし、筋肉の収縮はもとより、生体の生命活動全体を低下させる。
【００１３】
コエンザイムＱ１０の摂取は、エネルギー産生を高め、生体に活力を与える。心臓ではエネルギーを大量に消費するので、コエンザイムＱ１０は心不全の医薬品として用いられている。
【００１４】
コエンザイムＱ１０は、疲労の回復を早める、冷えやむくみを解消し、若肌を保つ、ダイエット効果がある、老化防止に役立つ等の各種の効果がある。
【００１５】
また、動悸・息切れの軽減、動脈硬化の予防、生活習慣病の予防、免疫力の強化、歯肉炎・歯周病の炎症や不快感の改善等健康効果も報告されている。
【００１６】
コエンザイムＱ１０の筋肉に対する作用は、心臓のみならず、全ての筋肉で発揮される。喉の筋肉でこの作用が発揮されると、気道が広がり、いびきを静め、睡眠時無呼吸症候群の症状を緩解することが最近分かった。本出願人の関連会社である株式会社  薬研が出願した「いびき防止剤」(特開２００５−３５９１８号公報(特許文献１))は、コエンザイムＱ１０とビタミンＥと乳化剤化合物を含む混合物からなっており、いびき防止に顕著な効果を奏することを立証している。
【００１７】
しかしながら、本発明のような発声に有効であるとの知見は得られていなかった。すなわち、本発明はコエンザイムＱ１０の新規な用途を発見し、顕著な効果を奏することを確認したことを特徴とするものである。
【００１８】
本発声改良剤の服用方法は、発声前３時間以内に、成人１人当たり、１カプセル(３３０ｍｇ)又は２カプセルを温湯とともに服用することが好ましい。
【発明の効果】
【００１９】
本発明の発声改良剤を服用することにより、声が良く出るようになり、長時間歌えるようになる。あるいは、高音域や低音域が延びるという効果も奏する。
【発明を実施するための最良の形態】
【００２０】
本発明を具体的に説明するために、以下に実施例を示すが、本発明はこれに限定されるものではない。
【実施例１】
【００２１】
表１に示された成分からなるカプセル剤を製造した。
製剤方法は、コエンザイムＱ１０とビタミンＥとグリセリン脂肪酸エステル他の成分を６０℃程度に加温して混合することにより、製造することができる。これをソフトカプセルあるいはハードカプセルに充填する。
【００２２】
【表１】
2007204436.tif 000003
【００２３】
表１に記載した成分を有するカプセル剤を、１日２カプセル、表２のようないずれも高度な音楽歴を有する１１人に試用してもらい、その感想を聴取した。
【００２４】
【表２】
2007204436.tif 000004
【００２５】
表２の結果をみると、高年齢になると効果発現までの日数が５日〜７日と長くかかるが、若い人では１日で効果が出てくる人もおり、いずれも「声が良く出るようになり、長時間歌えるようになった。」あるいは、「高音域が延びた。」等の感想が多く見られた。
【００２６】
作用メカニズムは声帯を動かしている筋肉にエネルギーを与え、声帯を変化させて音の高低を調節し易くすることにある。
【００２７】
コエンザイムＱ１０のみでも効果は認められるが、これにビタミンＥを併用することで、その効果は顕著になると言える。コエンザイムＱ１０とビタミンＥとの配合割合については、コエンザイムＱ１０  １００重量部に対してビタミンＥは１０〜５０００重量部が好ましい。特に好ましいのは、コエンザイムＱ１０  １００重量部に対してビタミンＥは５０〜１０００重量部である。
(57)【要約】【課題】  軽トラックのエンジンを他の作業機械の架動力に適用することによって機械本体のみで、本体のみを軽トラックの荷台に搭載すればどこの場所での作業が可能となる多機能に利用できる軽トラックを提供する。【解決手段】  荷台下のエンジンと荷台上に設けたギヤー装置をチエン又はベルトで連結し、トラックの荷台上に各種の機械を搭載し、荷台上の機械を駆動させるものであって、全ての使用機種のエンジン又はモーターが不要となり、使用者の経費が削減でき、軽トラックの行動力のため便利に使用できる。【選択図】図２
2007204029.tif 000002
【特許請求の範囲】
【請求項１】
１．荷台下のエンジンのクランクケーブルに駆動用の主スポロケットを取付けること、
２．荷台上に作業用機械駆動用のギヤー装置を設けて副スポロケットを取付けること、
３．前記主スポロケットと副スポロケットをチエン又はベルトで接続して、エンジンの駆動を荷台上の副スポロケットを作動させること、
４．荷台上に各種の作業用機械を搭載して副スポロケットに接続させ作業用機械を架動させること、
上記１〜４項を具備したことを特徴とした多機能に利用できる軽トラック。
【発明の詳細な説明】
【技術分野】
【０００１】  本発明は、排気量が６６０ｃｃで４０ＰＳ以上であって、しかも軽快に活動できる軽トラックのエンジンを他の機械の原動力として利用できるようにした多機能に利用できる軽トラックに関する。
【背景技術】
【０００２】  従来全ての作業用機械は、機械本体とエンジンを別々にし、使用に当ってエンジン又はモーターを置き機械本体を設置して作業を行っていた。
【特許文献１】  特開平０７−３１７９８１号公報
【発明の開示】
【発明が解決しようとする課題】
【０００３】  発明者は、コンプレッサー、発電機又は揚水ポンプ等すべての機械が本体とエンジン又はモーターを別々に設置して使用する無駄を省くために、軽トラックのエンジンを利用することを考え、本発明を提供するものである。
【課題を解決するための手段】
【０００４】  この点に鑑み、発明者は種々試作研究を重ねたものであって、軽トラックは、前記したように強力なエンジンを備え、しかも軽快な行動力を有しているため、軽トラックの荷台にギヤー装置を取付け、荷台下のエンジンと連結して、トラックエンジンの駆動力を荷台上のギヤー装置に連動させ、これによって荷台上の機械本体を駆動させることに成功したものである。
【発明の効果】
【０００５】  上述のように本発明は広く利用されている軽トラックを利用でき、その強力なエンジンのため各種の作業機械に適用できる。このため機械の運搬・設置・作業開始と行動が円滑になり能率の向上と使用する機種のエンジン又はモーターが不用となり、使用する側の経費の削減が可能であって、その効果は卓越して発揮される。
【発明を実施するための最良の形態】
【０００６】  添付図面により本発明を実施するための最良の形態を説明すると、図１は作業中の軽トラックの後方からの実施図であり、図２は全体を示す斜視図を示すものである。図中の符号について説明すると、図中の符号（１）は軽トラックの荷台Ａ下に設けてあるエンジン（１）であり、（２）はエンジンに取付けた主スポロケットを示し、（３）は台上に設けたギヤーの副スポロケット（４）と主スポロケット（１）を連結するチエン又はベルトである。このような構造で軽トラック荷台Ａ上に設置されている機械は作動する。
【実施例】
【０００７】  図において、（１）は軽トラックのエンジンであり、排気量６６０ｃｃで４０ＰＳ以上の強力な力があり軽トラックの荷台後方の下に設置されている。そして、このエンジン（１）のクランクプーリーに駆動用のスポロケット（２）を取付ける。【０００８】  一方軽トラックの荷台Ａ上にギヤーを取付けこのスポロケット（４）と軽自動車エンジン（１）の主スポロケットと荷台Ａ上の副スポロケット（４）をベルト又はチエン（３）で連結させることによって、荷台Ａ下のエンジン（１）の駆動力は荷台Ａ上に連結される。【０００９】  これによって軽トラック荷台Ａ上に載置された作業機械は架動して作業が開始できる。【００１０】  図示では荷台Ａ後方の煽り板を到した形に表現しているが、作図上の都合であって実際の使用に当っては取外してエンジン（１）からシャット（図示していない）を延長して荷台Ａ上のギヤー装置に連結して機械（５）を架動させる。したがって軽トラックは荷台Ａ上のギヤー装置を取外し可能としておけば、通常のトラックとしても使用が可能である。【００１１】  本発明においては軽トラックを対称として説明しているが勿論普通トラックでも実施できるが、特に軽トラックは文字通り小型であり、行動力があるため、山道や谷道でも行動できるため山での作業や一般農業用としても使用可能である。
【産業上の利用可能性】
【００１２】  本発明は軽快に運搬や移動ができ、しかも強力な馬力のある軽トラックを利用するもので、行動範囲が広がり、多目的に使用でき経費の削減となるため産業上の利用可能性は極めて大きい。
【図面の簡単な説明】
【００１３】
【図１】  軽トラック後方からの実施例図
【図２】  全体を表わす斜視図
【符号の説明】
【００１４】  （１）…軽トラックのエンジン
（２）…主スポロケット
（３）…ベルト又はチエン
（４）…副スポロケット
（５）…利用する機械
（６）…接合部シャット
Ａ…荷台
【図１】
2007204029.tif 000003
【図２】
2007204029.tif 000004
(57)【要約】【課題】夏季，冬季では高温低温のため運転ハンドルや座席シ−トが異常に熱くなったり冷たくなったりして握ったり座ったりするのが嫌になる。【解決手段】運転ハンドルの内部及び座席シ−トの内部に２種の異なった金属（導体）同士又は２種の異なった半導体同士で接合した状態を作り自動車のバッテリ−から電源をとり電流を流すと接合部に熱を発生させることができる。又電流の流れる方向を反対にすると接合部で熱の吸収を発生させることができるという電気の特殊現象の１つであるペルチェ効果を利用して運転ハンドル及び座席シ−トの温度を早く常温に戻して快適に運転できるようにする。【選択図】図３
2007204027.tif 000002
【特許請求の範囲】
【請求項１】
２種の異なった金属（導体）又は半導体を接合して電流を流したとき発生するペルチェ効果を利用して夏季冬季において高温低温により異常に熱くなったり冷たくなったりする自動車の運転ハンドルを常温近くに調節して握りやすくする。
【請求項２】
請求項１と同じペルチェ効果を利用して夏季冬季において高温低温により熱くなったり冷たくなったりする座席シ−トを常温近くに調節して座り心地を良くする。
【発明の詳細な説明】
【技術分野】
【０００１】本発明は運転ハンドルの内部及び座席シ−トの内部に２種の異なった金属（導体）同士又は２種の異なった半導体で接合した状態を作り両端から電流を流すと接合部に熱を発生させる事ができる。又電流の流れる方向を反対にすると接合部で熱の吸収を発生させることができるという電気の特殊現象の熱電効果の１つであるペルチェ効果を利用して運転ハンドル及び座席シ−トの温度を調節しようとする発明である。
【発明の開示】
【発明が解決しようとする課題】
【０００２】夏季冬季では高温低温のため運転ハンドルが異常に熱くなったり冷たくなったりして握っているのが嫌になる。
【問題を解決するための手段】
【０００３】運転ハンドルの内部及び座席シ−トの内部に２種の異なった金属（導体）同士又は２種の異なった半導体同士で接合した状態を作り自動車のバッテリ−から電源をとってその両端から電流を流すと接合部に熱を発生させる事ができる。又電流の流れる方向を反対にすると接合部で熱の吸収を発生させることができるこのペルチェ効果を利用して運転ハンドルと座席シ−トの温度を早く常温に戻す。
【発明の効果】
【０００４】運転ハンドル及び座席シ−トの温度が現状より早く常温に近い状態になれば快適で安全な運転ができるとうになる。
【産業上の利用可能性】
【０００５】ペルチェ効果を利用して実用化されている物として電気理論、電気材料等の専門書によれば電子冷凍機として低温恒温槽、光電子式露天湿度計光電子倍増管冷却装置、その他として写真現像液などの液温恒温装置、卓上恒温槽、トランジスタパラメトリック増幅素子などの冷却用などが実用化されている。
【図面の簡単な説明】図１と図２はペルチェ効果が発生する原理を電気理論，電気材料等の専門書より抜粋した構成図である。図３と図４は実際に運転ハンドルと座。席シ−トに実施したときの構造図である。【図１】２種の異なった金属（導体）を用いた構成図である。左図と右図は電流の流れる方向を反対にした図である。
【図２】２種の異なった半導体を用いた構成図である。
【図３】運転ハンドルの内部構造を示した平面図と断面図である。
【図４】座席シ−トの内部構造を示した平面図と断面図である。
【符号の説明】
「１  銅」「２  コンスタンタン」「３  Ｐ形半導体」「４  Ｎ形半導体」
「５  ２種の異なる金属（導体）同士又は半導体同士を接合したもの」
【図１】
2007204027.tif 000003
【図２】
2007204027.tif 000004
【図３】
2007204027.tif 000005
【図４】
2007204027.tif 000006
(57)【要約】【課題】沿岸より遊泳船を水面に浮かべ竿操作により水の流れを利用した無公害な遊泳船である。従来の前進機能のスムーズ進行と、瞬時の後退機能を有し、仕掛け・ルアー等のポイント上の運搬を容易にし、船舶での引きずり漁法においても、より広範囲の船舶との並行進行を可能とした。【解決手段】船体裏面の水圧板に切り込みを設け、浮き球の自由移動により船体の後進機能を有し、又水圧板を二枚重ねにして、ボルト調整により水圧板の巾変更を行い、水流の強弱・波の高低等の船体バランス調整及び速度調整を可能にし、さらに船体部にフックピンを設け仕掛けルアー等の容易運搬を可能にした。【選択図】図１
2007204021.tif 000002
【特許請求の範囲】
【請求項１】
船体（１）を設け、船体底面に水圧板（２）を取り付け、船体側面に基礎コード（３）調整コード（９）と角度調整棒（４）を取り付けた、遊泳船である。
【請求項２】
水圧板（２）に切り込み（５）を設け、浮き球（６）に基礎コード（３）を取り付け、浮き球（６）を水圧板切り込み（５）部に通し、水流圧力により浮き球（６）を固定し、遊泳船の安定進行を可能にした。また基礎コード（３）と連結している道糸を瞬時に緩めることにより浮き球（６）が水圧から解除され、水流により逆方向に移動を開始し遊泳船の後方移動を可能にした。
【請求項３】
遊泳船の後方移動を必要としない場合、水圧板（２）に穴（７）を設け基礎コード（３）に取り付けた浮き球（６）の止め具（８）を穴（７）に挿入し浮き球（６）の固定をし、より安定した遊泳船の進行を行う。
【請求項４】
調節コード（９）を角度調整棒（４）と基礎コード（３）に編みつけ状に結び、角度調整棒（４）と基礎コード（３）の左右移動を行いコードの角度調節をして水面進行方向と進行速度のコントロールを可能にした。
【請求項５】
調整コード（９）にフックピン（１０）とフック受けピン（１１）の半固定接続を行い基礎コード（３）角度調整棒（４）との接続をして船体と基礎コードの一体化をし、端部にチチヮ（１２）を設け竿からつながる道糸と接続をして竿操作により水面上の遊泳船を沿岸より自由操作を行うと共に、船体回収時道糸に強い衝撃を与え調整コード（９）のフックピン（１０）とフック受けピン（１１）を分離させ基礎コード（３）を一本化にし、水圧板による水流抵抗を解除して、船体（１）のスムーズ回収を可能にした。
【請求項６】
遊泳船底部に仕掛けフック（１３）を設け船体進行時仕掛けフックに仕掛けやルアーを引っかけ船体と仕掛けを一体にして水面下の障害物（石・沈下流木等）を避け船体の進行をスムーズにした。
【請求項７】
水圧板（２）を二枚重ねに（１４）してボルト（１５）にて半固定締めにして水圧板の幅の調整を行い水流の水圧抵抗コントロールを可能にした。
【請求項８】
船体上部にポール（１６）を設け船体確認をしやすくした。
【請求項９】
図５において船体（１）にオモリ（１７）を取り付け、船体のバランスを取り、浮き球移動棒（１８）に浮き球頭部にリング（１９）を通し浮き球の自由移動を可能とし、船体と水圧板を一体とした遊泳船である。
【発明の詳細な説明】
【発明の詳細な説明】
【技術分野】
【０００１】  本発明は沿岸より船体を浮かべ水の流れの利用による船体の自由遊泳とトローリング釣りに関する。
【背景技術】
【０００２】  本発明は特開２００５−２８８１２８にて申請されているが、船体進行時瞬時の後方移動が出来なかった。【０００３】  船体の遠方操作時、水面の反射、波ゆれによる船体位置確認が出来にくかった。【０００４】  船体にて沿岸より魚釣り時川底に障害物が有ると仕掛けルアースムーズ進行が出来にくかった。【０００５】  基礎コードによる角度調整が結び目による位置設定を行っているため角度調整が限られていた。【０００６】
【発明の開示】
【課題を解決するための手段】
【０００７】  上記目的を達成するために、本発明の水流を利用した水上遊泳船は船体底面水圧板に切り込みを設け切り込み箇所に浮き玉を自由移動させることにより瞬時に船体の後方移動を可能にして、船体底面に仕掛けフックを設け仕掛けルアー等のスムーズ進行とポイント落下を可能にて船体遠方操作時目標ポールを設け船体位置確認の目安とした。
【本発明の効果】
【０００８】  本発明は魚釣り時に広範囲での釣りを可能にした、又船舶での引き釣り漁法においても船舶と広範囲の平行運行を可能にした。
【発明を実施するための最良の木形態】
【０００９】  図１において船体（１）水圧板（２）に切り込み（５）を設け浮き球（６）の移動を可能にして船体（１）の瞬時後方移動を可能にした。
【００１０】  基礎コード（３）と角度調整棒（４）に調整コード（９）を編みつけ状に結び、遊泳船の後方移動とコード角度調整による進行角度調整を可能にした。
【００１１】  仕掛けフック（１３）を設け船体進行をスムーズにした。
【００１２】  水圧板（２）を二枚重ねにしボルトによる水圧板の巾調整を行い変速水流と船体のバランス調整をして船体進行をスムーズにした。
【００１３】  船体上部にポールを設け船体位置の確認をしやすくした。
【００１４】  図１は本発明の船体装置の魚釣り遊泳船の一例である。
【産業上の利用の可能性】
【００１５】  従来船を沿岸より自由操作し、遊泳又は広範囲での釣り、対岸での運搬を行うには何らかの動力が必要であった、船を動かすに当たり騒音、燃料による公害が余儀なくされていた、又瞬時の後方移動は出来なった、これらの問題を解決し無公害のスポーツ性の高い遊泳船として、又広範囲での魚釣り、無人による対岸への運搬を可能にした。
【図面の簡単な説明】
【００１６】
【図１】  船型実施例を示す全体図
【図２】  下面図
【図３】  正面図
【図４】  浮球図
【図５】  船体水圧板一体化実施例を示す全体図
【図６】  船体水圧板一体化実施例を示す正面図
【符号の説明】
【００１７】  １  船体
２  水圧板
３  基礎コード
４  角度調整棒
５  水圧板切り込み
６  浮き球
７  穴
８  止め金具
９  調整コード
１０  フックピン
１１  フック受けピン
１２  チチヮ
１３  仕掛けフック
１４  水圧板二枚重ね
１５  ボルト
１６  ポール
１７  オモリ
１８  浮き球移動棒
１９  リング
【図１】
2007204021.tif 000003
【図２】
2007204021.tif 000004
【図３】
2007204021.tif 000005
【図４】
2007204021.tif 000006
【図５】
2007204021.tif 000007
【図６】
2007204021.tif 000008
(57)【要約】【課題】  自動車の警笛は主として対車両用に考えられているため、音量が大きく、音質も鋭く感じるものが多い。  そのため至近距離の歩行者、特にお年寄り、幼児、また聴覚の敏感な目の不自由な方にとっては迷惑なものであり、不快感、嫌悪感、恐怖感等を与えることも多く、トラブルの原因になることも少なくない。  本発明はこういった状況を解決しようとするものである。【解決手段】  自動車用警報装置に至近距離歩行者用の機能を付加し、必要に応じて選択使用を可能にする。【選択図】なし【特許請求の範囲】
【請求項１】
ボタン、レバーあるいはタッチパネル等のスイッチ類を操作することにより、複数音量の警笛あるいは警告音もしくは警告文言を発することのできる自動車用警報装置。
【発明の詳細な説明】
【技術分野】
【０００１】  本発明は自動車用警報装置に関するものであり、従来の装置に工夫を加えることによって、歩行者に優しく、かつその保護、安全をはかるものである。
【背景技術】
【０００２】  従来から、自動車の警報音は警笛と称されているが、その目的は主として他の車両に対するものであることから、かなりの大音量に設定されている。
【発明の開示】
【発明が解決しようとする課題】
【０００３】  しかしながら、自動車の警報は他の車両に対してだけでなく、当然歩行者に対しても使われるケースは多い。  幹線道路以外は車道、歩道の区別のない道路が多く、特に街中では歩行者を避けながら徐行を強いられることが多々ある。  この時、歩行者の注意を促すために警笛を使用せざるを得ない場合があるが、至近距離で鳴らされた場合、歩行者にとっては非常な大音量であり、単に不愉快というだけでなく、お年寄りや幼児、特に聴覚の敏感な目の不自由な方々にとっては恐怖すら感じさせる大きさである。  このことは交通弱者に対する脅威となっており、本発明はこの問題を解決することを課題としている。
【課題を解決するための手段】
【０００４】  この課題を解決するためには、警報音の大きさをそれぞれの場合によって選択できるようにすればよい訳である。  対車両用の従来の大きさのものに加えて、至近距離の対人用に音量を抑えたものを、スイッチ操作によって使い分けができるように設定しておく。【０００５】  至近距離対人用のほうは音量を抑えるだけでなく、音質をよりソフトなものにするとか、『車が通ります』というような文言にすることも可能である。
【発明の効果】
【０００６】  自動車の警笛はとかく無用なトラブルの種になりがちであり、教習所ではむやみに鳴らさないように指導している場合もある。  それは主としてその音量の大きさと音質の鋭さに原因があると思われ、至近距離の歩行者のことは全く考慮されていない。  本発明により、自動車はより人に優しい存在となり得、歩行者、特に交通弱者と呼ばれる人々が車に対して抱く不快感、恐怖感を減じることができるだけでなく、警笛に起因する無意味な争い事を無くすることが可能となる。
【発明を実施するための最良の形態】
【０００７】  本発明を実施するに当たっては、使い易さが最優先されるべきであり、従来どおりステアリング部にスイッチ類を配置するのが最良と思われる。
【産業上の利用可能性】
【０００８】  本発明は、現代社会を象徴する最先端の工業製品として量産されている自動車の警報装置に、僅かの機能を付加することによってその効果を発揮できるものであることから、産業上利用可能である。
(57)【要約】【課題】  夏は日差しが強く、特に紫外線による日焼け、車内の温度上昇（エアコンのフル稼働）等、快適且つ経済的なドライブとはいえない。又、ひいてはエアコンの稼働率が上がることによるＣＯ２の上昇など、地球環境の破壊にもつながる。【解決手段】  自動車ルーフ内に仕込んだ遮光板を必要に応じて出し入れし、車内を日陰にすることにより、これらの問題を解決する。【選択図】図１
2007204019.tif 000002
【特許請求の範囲】
【請求項１】
自動車ルーフ内に仕込んだウィングを、必要に応じて車外両側面にせり出し（または収納）て車内を日陰にする為に設けられるサンバイザー（遮光版）。
【発明の詳細な説明】
【技術分野】
【０００１】  この発明は、自動車の屋根部に取り付け、電動でスライドし、車内に取り込めるよう考慮した電動スライド式サンバイザーに関するものである。
【背景技術】
【０００２】  従来図４のようなものはあったが、これは喫煙時にウインドウを開いた場合の雨避けが主な目的で、日除けとしては効力の薄いものであった。
【発明の開示】
【発明が解決しようとする課題】
【０００３】  地球の温暖化や紫外線の強さが指摘されているなか、自動車メーカーもＵＶカット、熱線カットガラスの採用など、ハイテク技術で対応しているようであるが、直接太陽光線を遮蔽するものは無いようである。
【課題を解決するための手段】
【０００４】  これは、自動車ルーフ内に仕込んだサンバイザー（遮光板）を必要に応じて車外側面にせり出して、車内を日陰にしてしまおうという考えから発明したものである。
せり出す遮光板は、片側前席から後席までを一枚の板で構成し、左右で２枚となる。（図−１）
【発明の効果】
【０００５】  現行の車においては太陽光線は車の側面から入ってくるものが大部分で、特に夏の強い紫外線で、女性などは左腕の日焼けが激しく、腕に日除けのガードをしている方も見掛ける。本発明が実用化されれば、レジャーでの車内、渋滞中の高速道路などで、非常に快適な効果が期待できる。
又、車内の温度管理も良好に働き、特にＣＯ２規制が叫ばれている昨今、環境保護にも一役買うことになる。
【発明を実施するための最良の形態】
【０００６】  本発明は、既存のサンルーフ（電動式天窓）のメカニズムと同じ機構で遮光板をルーフ側面に出し入れ可能にしたものである。
【実施例１】
【０００７】  遮光板を自動車の両サイドに取り付けることにより、見る人に、あたかも翼を広げたようなイメージを与え、遊び心も十分満足される。（サイドウイングと称する）
遮光板のせり出し量は、色々問題があろうから、車幅以内に留める。それでも、十分な遮光効果は期待できる。
【実施例２】
【０００８】  作業用車両、建築機械などに取り付ければ、作業効率も上がり、快適な作業環境が得られる。
【図面の簡単な説明】
【０００９】
【図１】  本発明の斜視図である。
【図２】  本発明の正面図である。
【図３】  本発明の平面図である。
【図４】  従来のもの
【符号の説明】
【００１０】１  サイドウイング
２  車両
３  従来のカバー
【図１】
2007204019.tif 000003
【図２】
2007204019.tif 000004
【図３】
2007204019.tif 000005
【図４】
2007204019.tif 000006
(57)【要約】【課題】Ｎｉ基合金鋳塊から表面割れのない線または棒を製造する方法を提供する。【解決手段】Ｎｉ基合金鋳塊を均質化処理し、均質化処理したＮｉ基合金鋳塊を減面率：５〜２０％の範囲内の熱間軽鍛造を施し、次いで得られた熱間軽鍛造体を熱間溝ロール圧延するＮｉ基合金の線または棒の製造方法であり、前記Ｎｉ基合金鋳塊は直径：８０〜１００ｍｍの範囲内にあることが一層好ましい。【選択図】        なし【特許請求の範囲】
【請求項１】
Ｎｉ基合金鋳塊を均質化処理したのち減面率：５〜２０％の熱間軽鍛造を施して熱間軽鍛造体を作製し、得られた熱間軽鍛造体を熱間溝ロール圧延することを特徴とするＮｉ基合金の線または棒の製造方法。
【請求項２】
前記Ｎｉ基合金鋳塊は直径が８０〜１００ｍｍを有する小径のＮｉ基合金鋳塊であることを特徴とする請求項１記載のＮｉ基合金の線または棒の製造方法。
【発明の詳細な説明】
【技術分野】
【０００１】
この発明は、Ｎｉ基合金鋳塊から圧延により線または棒を製造する方法に関するものであり、特に、Ｎｉ基合金鋳塊から表面割れのない線または棒を製造する方法に関するものである。
【背景技術】
【０００２】
一般に、Ｎｉ基合金の線または棒を製造するには、先ず、Ｎｉ基合金を真空溶解し鋳造し、必要に応じてエレクトロスラグ再溶解して鋳塊を作製し、この鋳塊を１１５０〜１２３０℃に保持することにより均質化処理を施し、この均質化処理を施したＮｉ基合金鋳塊をロール表面に大径から小径に溝径が異なる溝を有する溝ロールに往復動させながら通過させることにより熱間溝ロール圧延を施して順次径を細くしながら所望の径を有するＮｉ基合金の線または棒を製造していた（特許文献１参照）。
【特許文献１】特開平７−３１４１５８号公報
【発明が解決しようする課題】
【０００３】
しかし、均質化処理されたＮｉ基合金鋳塊をそのまま溝ロール圧延して得られたＮｉ基合金の線または棒の表面には微細な割れが生成し、表面割れのない健全なＮｉ基合金の線または棒を得ることは難しかった。この表面割れの発生を防止するために、均質処理されたＮｉ基合金鋳塊を熱間鍛造して減面率が５０％程度にまでになった中間鍛造体の表面を研削して中間鍛造体の表面に形成されている表面割れを除去し、表面割れを除去した中間鍛造体を熱間溝ロール圧延することにより表面割れのない健全なＮｉ基合金の線または棒を製造することも行われていた。しかし、中間鍛造材の表面に発生している割れを肉眼で探して研削することは困難でありまた時間もかかるのでコスト高になるという問題点があった。
【発明の開示】
【課題を解決するための手段】
【０００４】
そこで、本発明者等は、途中で研削を施すことなく表面割れのないＮｉ基合金の線または棒を簡単に製造すべく研究を行った。その結果、均質化処理したＮｉ基合金鋳塊に減面率：５〜２０％の熱間軽鍛造を施し、次いで得られた熱間軽鍛造体を熱間溝ロール圧延することにより得られたＮｉ基合金の線または棒の表面には表面割れが発生することはない、という知見を得たのである。ここで、均質化処理したＮｉ基合金鋳塊に減面率とは断面径減少率のことであって、均質化処理したＮｉ基合金鋳塊の径をＸ、熱間軽鍛造後の径をＹとすると、減面率（％）＝（Ｘ２−Ｙ２）／Ｘ２×１００で定義されるものである。
【０００５】
この発明は、かかる知見に基づいてなされたものであって、
（１）Ｎｉ基合金鋳塊を均質化処理し、均質化処理したＮｉ基合金鋳塊を減面率：５〜２０％の範囲内の熱間軽鍛造を施し、次いで得られた熱間軽鍛造体を熱間溝ロール圧延するＮｉ基合金の線または棒の製造方法、に特徴を有するものである。
【０００６】
この発明において、Ｎｉ基合金鋳塊を均質化処理する温度は１１５０〜１２３０℃であり、この均質化処理温度はＮｉ基合金鋳塊を均質化処理する温度として通常知られている温度である。また、この発明のＮｉ基合金の線または棒の製造方法において使用するＮｉ基合金鋳塊はその寸法は特に限定されるものではないが、通常のＮｉ基合金鋳塊よりも小径であることが好ましく、直径：８０〜１００ｍｍの範囲内にあることが一層好ましい。この直径：８０〜１００ｍｍの範囲内にある小径のＮｉ基合金鋳塊を均質化処理したのち熱間溝ロール圧延して得られるＮｉ基合金の線または棒の径は特に限定されるものではないが６〜３０ｍｍの範囲内にあることが一層好ましい。
【０００７】
したがって、この発明は、
（２）前記Ｎｉ基合金鋳塊は直径が８０〜１００ｍｍを有する小径のＮｉ基合金鋳塊である前記（１）記載のＮｉ基合金の線または棒の製造方法、に特徴を有するものである。
【０００８】
この発明において、均質化処理したＮｉ基合金鋳塊を減面率：５〜２０％の範囲内の熱間軽鍛造を行うと得られたＮｉ基合金の線または棒の表面に割れが発生しない理由は、熱間溝ロール圧延前に軽度の鍛造を行うと、得られたＮｉ基合金鋳塊の熱間軽鍛造表面部分における組織が再結晶化して微細化し、表面部分の延性が増して熱間溝ロール圧延時に表面割れが発生しなくなるものと考えられる。均質化処理したＮｉ基合金鋳塊を熱間軽鍛造する際の減面率が５％未満では減面率が小さすぎてＮｉ基合金鋳塊表面の組織が十分に微細化せず、そのために熱間溝ロール圧延時に表面割れが発生するので好ましくなく、一方、減面率が２０％を越えるように鍛造すると、この時の鍛造により新たな表面割れが発生するので好ましくないことによるものである。
【発明の効果】
【０００９】
この発明によると、均質化処理したＮｉ基合金鋳塊に熱間軽鍛造を施すだけで表面割れのないＮｉ基合金の線または棒を製造することができるので、製造コストを低く抑えることができる。
【発明を実施するための最良の形態】
【００１０】
真空溶解することによりＣｒ：２０．５質量％、Ｃｏ：０．５質量％、Ｆｅ：１７．０質量％、Ｍｏ：８．０質量％、Ｗ：０．２質量％、Ｃ：０．０５質量％を含有し、残部がＮｉおよび不可避不純物からなる成分組成を有し、直径：８０ｍｍ、長さ：１０００ｍｍの寸法を有するＮｉ基合金鋳塊を作製し用意した。
このＮｉ基合金鋳塊を温度：１２００℃、１０時間保持することにより均質化処理を施し、この均質化処理を施したＮｉ基合金鋳塊を表１に示される減面率となるように熱間軽鍛造を行い、ついで熱間溝ロール圧延を施すことにより直径：９．５ｍｍを有するＮｉ基合金棒を作製し、本発明法１〜７および比較法１〜２を実施した。さらに均質化処理を施したＮｉ基合金鋳塊に熱間軽鍛造を施すことなく均質化処理を施したＮｉ基合金鋳塊を直接熱間溝ロール圧延することにより直径：９．５ｍｍを有するＮｉ基合金棒を作製し、従来法１を実施した。本発明法１〜７、比較法１〜２および従来法１で得られたＮｉ基合金棒の表面を染色探傷し、Ｎｉ基合金棒の表面に割れが発生しているか否かを調べ、その結果を表１に示した。
【００１１】
【表１】
2007204840.tif 000002
【００１２】
表１に示される結果から、均質化処理したＮｉ基合金鋳塊に熱間径鍛造を施す本発明法１〜７により得られたＮｉ基合金棒の表面には割れが発生することはないが、均質化処理したＮｉ基合金鋳塊に熱間径鍛造を施すことなく熱間溝ロール圧延した従来法１およびこの発明の範囲から外れた減面率で熱間径鍛造を施す比較法１〜２により得られたＮｉ基合金棒の表面には割れが発生することがわかる。
(57)【要約】【課題】  再現性よく、金属光沢を有するクラックフリーな非晶質Ｚｎ−Ｎｉ合金めっき膜を得ることを課題とする。【解決手段】  亜鉛ハロゲン化物と、ニッケルハロゲン化物と、アルキルイミダゾリウムハロゲン化物とを混合溶融してからなる電解液に、エチレングリコールを混合すると、電解液の分離がないため、上記の課題を解決することができる。【選択図】なし【特許請求の範囲】
【請求項１】
Ｚｎ−Ｎｉ合金中のＮｉ含有率が約２０〜７０ａｔ％であって、クラックがなく、金属光沢をもつことを特徴とする、非晶質Ｚｎ−Ｎｉ合金。
【請求項２】
亜鉛ハロゲン化物と、ニッケルハロゲン化物と、アルキルイミダゾリウムハロゲン化物とを混合溶融してからなる電解液（常温型溶融塩）に、エチレングリコールを混合することを特徴とする非晶質Ｚｎ−Ｎｉ合金の電析方法。
【発明の詳細な説明】
【技術分野】
【０００１】本発明はクラックを含まない非晶質Ｚｎ−Ｎｉ合金とその電析方法に関するものである。さらに詳しくは、亜鉛ハロゲン化物と、ニッケルハロゲン化物と、アルキルイミダゾリウムハロゲン化物とを混合した溶融塩に、エチレングリコールを混合した電解液から得られる、金属光沢を有するクラックを含まない非晶質Ｚｎ−Ｎｉ合金の、再現性の高い電析方法に関するものである。
【背景技術】
【０００２】Ｚｎ−Ｎｉ合金は純Ｚｎ皮膜に比べて耐食性が優れているので、自動車用防錆鋼板や家電製品の表面処理として実用化されている。従来のＺｎ−Ｎｉ合金は硫酸塩浴を用いた電析方法で作製され、Ｎｉ含有率が１０〜１５ｍａｓｓ％のγ相単相のめっき皮膜が最も良好な耐食性を有するとされている（鉄と鋼、６６、７７１、（１９８０））。この場合、異常共析となるので、Ｎｉ含有率が２０ｍａｓｓ％以上のめっき膜を得ることは困難である。しかし、常温型溶融塩を電解液に用いると、カソード分極時に異常共析の原因となる水素発生がなく、正常共析に基づく反応が可能となり、Ｎｉ含有率の高いめっき膜を容易に得ることが可能となった（表面技術、５２、１１６（２００１））。さらに、常温型溶融塩に有機溶媒を混合することで、低温でのＺｎ−Ｎｉ合金めっきが可能となり、アモルファス構造の皮膜が得られようになる。
【発明が解決しようとする課題】
【０００３】常温型溶融塩にエタノールを混合した電析浴を用いた場合、皮膜組成を任意に制御することは可能であるが、クラックフリーのめっき膜を得ることは不可能である。また、アセトニトリルを混合した電析浴を用いた場合、電解液が分離することで、得られるめっき膜の合金組成、並びに表面形態の再現性がなく、実用化には問題がある。有機溶媒としてエチレングリコールを用いると、電解液の分離がないため、再現性がよく、金属光沢を持った、クラックフリーの非晶質めっきを得ることができる。